(57)【要約】【課題】本発明は、土寄せ作業が素早く行えるとともに、畝に植えられた生育中の作物に対して土をしっかりと寄せることができる農作業機、培土器及び農作業機による土寄せ方法を提供することを目的とする。【解決手段】本体１と、本体１に取り付けられ、畝に植えられた生育中の作物の根に向けて土寄せを行う培土器２と、からなる農作業機１００であって、培土器２は、畝肩の上部の土を寄せる高さに配置されたローラ部２０、３０を備える。【選択図】図３
2019088277.tif 000002
【特許請求の範囲】
【請求項１】
本体と、
前記本体に取り付けられ、畝に植えられた生育中の作物に向けて土寄せを行う培土器と、
からなる農作業機であって、
前記培土器は、畝肩の上部の土を寄せる高さに配置されたローラ部を備えたことを特徴とする生育中の作物に用いる農作業機。
【請求項２】
前記培土器は、前記ローラ部の後方に培土板を備えたことを特徴とする請求項１に記載の生育中の作物に用いる農作業器。
【請求項３】
前記ローラ部の土寄せ面は、前記畝の法面の傾斜以上の傾斜を有していることを特徴とする請求項１に記載の生育中の作物に用いる農作業機。
【請求項４】
前記ローラ部は、進行方向の前方から後方に向かって、徐々に前記作物に近付くように配置された複数のローラからなることを特徴とする請求項１に記載の生育中の作物に用いる農作業機。
【請求項５】
複数の前記ローラは、前方ローラに比べ後方ローラの軸の傾斜が小さくなっていることを特徴とする請求項３に記載の生育中の作物に用いる農作業機。
【請求項６】
前記ローラは左右２組有し、その間隔を調節可能であることを特徴とする請求項１に記載の生育中の作物に用いる農作業機。
【請求項７】
農作業機に取り付けられ、畝に植えられた生育中の作物に向けて土寄せを行う培土器であって、
土を寄せるローラ部と、
畝肩の上部の土を寄せる高さに前記ローラ部を農作業機の両側に取り付ける一対のローラ取付部と、
からなることを特徴とする生育中の作物に用いる培土器。
【請求項８】
前記ローラ部の後方に更に培土板を備えたことを特徴とする請求項７に記載の生育中の作物に用いる培土器。
【請求項９】
前記ローラ取付部には、
前記ローラ部の高さを調整する高さ調整部、
前記ローラ部の傾きを調整する傾き調整部、
前記ローラ部の進行方向の前後の位置を調整する前後位置調整部、
前記ローラ部の進行方向の左右の位置を調整する左右位置調整部、
の少なくとも何れかを備えることを特徴とする請求項７に記載の生育中の作物に用いる培土器。
【請求項１０】
前記一対のローラ取付部の前記ローラ部の間隔が調整可能となっていることを特徴とする請求項７に記載の生育中の作物に用いる培土器。
【請求項１１】
前記ローラ取付部には、
前記培土板の高さを調整する高さ調整部、
前記培土板の傾きを調整する傾き調整部、
前記培土板の進行方向の前後の位置を調整する前後位置調整部、
前記培土板の押圧を調整する押圧調整部、
の少なくとも何れかを備えることを特徴とする請求項８から１０の何れか１項に記載の生育中の作物に用いる培土器。
【請求項１２】
本体と、
前記本体に取り付けられ、畝に植えられた生育中の作物に向けて土寄せを行う培土器と、
からなる農作業機による土寄せ方法であって、
前記本体は、ロータリーを備え、
前記培土器は、畝肩の上部の土を寄せる高さに配置されたローラ部を備え、ており、
前記ロータリーの後方に前記培土器を配置するとともに、前記ロータリー側を先頭にして進行することを特徴とする生育中の作物に用いる農作業機による土寄せ方法。
【発明の詳細な説明】
【技術分野】
【０００１】
本発明は、土を寄せるローラ部を備えた、生育中の作物に用いる農作業機、生育中の作物に用いる培土器及び生育中の作物に用いる農作業機による土寄せ方法に関する。
【背景技術】
【０００２】
作物の土寄せ作業では、市販の培土器（たとえば特許文献１のような形状）が用いられていることもある。市販の培土器は、畝の全法面（全ての高さ）を形成するものであり、生育中の白ネギの株元に向けて適度な土寄せを行うのには適していない。
【０００３】
白ネギ栽培で行われる土寄せ作業は、非特許文献１に示されるように、生育中の白ネギの株元に向けてＭ字をキープしながら４、５回行われる。畝の全法面を形成する市販の培土器ではこのようなＭ字の土寄せに適していなかった。このため、生育中の作物の土寄せは、一般的には管理機で行われている。
【先行技術文献】
【特許文献】
【０００４】
【特許文献１】特開２００１−１７８２０１号公報
【非特許文献】
【０００５】
【非特許文献１】http://www.takii.co.jp/tsk/saizensen_web/nebukanegi/flow.html
【発明の概要】
【発明が解決しようとする課題】
【０００６】
しかしながら、台風などの強風による倒伏防止のために行われる土寄せ作業や軟白のための土寄せ（緑化防止の最終土寄せ作業）は、白ネギの根元に土を押し込む。この場合は、白ネギ栽培で行う通常のＭ字ではなく、白ネギを支えるようにネギ根元部に幅１０ｃｍ程度の土寄せを行う必要があり、管理機を用いるのではなく手作業で行われる。
【０００７】
特に台風などの強風による倒伏防止のための緊急時の土寄せは、高齢化や人手不足の現状において、手作業ではなかなか間に合わず、強風の被害を受けることもある。また、本発明の発明者や白ネギ栽培を行っている農家が、実際に市販の培土器を用いて、土寄せ作業を行ってみたが、満足のいく仕上がりにならなかった。
【０００８】
また、白ネギ栽培において「止め」と呼ばれるような緑化防止の最終土寄せは、土を寄せるとともに、白ネギの首元に土をしっかり締め付けておく必要がある。このため非常に繊細な作業であることから、従来ほぼ手作業で行われていた。このため、白ネギ農家にとって、収穫作業や搬送作業と共に、最終土寄せ作業は、苦痛な作業の一つであった。
【０００９】
そこで、土寄せ作業が素早く行えるとともに、畝に植えられた生育中の作物に対して土をしっかりと寄せることができる農作業機、培土器及び農作業機による土寄せ方法を提供することを目的とする。
【課題を解決するための手段】
【００１０】
上記目的を達成するため、本発明の生育中の作物に用いる農作業機は、本体と、前記本体に取り付けられ、畝に植えられた生育中の作物に向けて土寄せを行う培土器と、からなる農作業機であって、前記培土器は、畝肩の上部の土を寄せる高さに配置されたローラ部を備えたことを特徴とする。
【００１１】
これにより、畝肩の上部のみの土を寄せることができるので、畝に生育中のネギの根元への土寄せが可能となる。これにより、従来手作業であった強風による倒伏防止の土寄せを農作業機で素早く行うことができる。また、全法面でなく上部のみの土を寄せるので土の移動量が少なく、ローラの回転によって土の抵抗が小さいので、小さな動力でよい。なお、畝肩の上部のみの土を寄せることができるので、ネギのみでなく、他の生育中の作物の倒伏防止にも適用でき、また、イモの緑化防止（有毒なソラニン防止）の土寄せにも適用することができる。
また、本発明の生育中の作物に用いる農作業機においては、前記培土器は、前記ローラ部の後方に培土板を備えることが好ましい。
【００１２】
このように、ローラ部の後方に培土板を備えることで、まずローラ部によって白ネギの周りに土を寄せ、そして更に培土板によって、白ネギの首元に土を寄せるとともに、その土を押し固めることができる。このため、白ネギ栽培における最終土寄せを従来の手作業と同等に行うことが可能となる。
【００１３】
また、本発明の生育中の作物に用いる農作業機においては、前記ローラ部の土寄せ面は、前記畝の法面の傾斜以上の傾斜を有している、つまり畝の法面に比べ、鉛直面となす角度（以下、傾斜角）が大きいことが好ましい。
このように、法面の上部の土を寄せるローラの土寄せ面が傾斜しているので、既存の畝の土を崩落させにくい。
【００１４】
また、本発明の生育中の作物に用いる農作業機においては、前記ローラ部は、進行方向の前方から後方に向かって、徐々に前記作物に近付くように配置された複数のローラからなることが好ましい。
【００１５】
円弧面で土を移動させるとき、円の中心から右側の土は右へ移動し、左側の土は左に移動する。本発明は、大きなローラ１つではなくて、多段の小さな複数のローラで土を寄せるので、広範囲の土を寄せることができ、また、逆方向に移動する土が少なくなるので、土の落下を減少させることができる。
また、本発明の生育中の作物に用いる農作業機においては、複数の前記ローラは、前方ローラに比べ後方ローラの軸の傾斜が小さくなっていることが好ましい。
これにより、寄せる土の量が次第に増加する。
【００１６】
上記目的を達成するため、本発明の生育中の作物に用いる培土器は、農作業機に取り付けられ、畝に植えられた生育中の作物に向けて土寄せを行う培土器であって、土を寄せるローラ部と、畝肩の上部の土を寄せる高さに前記ローラ部を農作業機の両側に取り付ける一対のローラ取付部と、からなることを特徴とする。
【００１７】
これにより、ローラの回転によって土の抵抗が小さいので、小さな牽引力の農作業機でもよく、また、素早く生育中の作物の株元に向けて土寄せを行うことができる。そして、畝肩の上部の土を寄せるようにローラ部の位置を持ち上げて培土器を農作業機に搭載させるので、ネギなどの生育中の作物の倒伏防止作業を素早く行うことができる。また、Ｍ字の形状の畝で軟白のための土寄せ（緑化防止の最終土寄せ）や、イモの緑化防止の土寄せもできる。
【００１８】
また、本発明の生育中の作物に用いる培土器においては、ローラ部の後方に更に培土板を備えることが好ましい。培土器を農作業機に搭載して用いることで、白ネギ栽培における最終土寄せに非常に適したものとなる。
【００１９】
また、本発明の生育中の作物に用いる培土器においては、前記ローラ取付部には、前記ローラ部の高さを調整する高さ調整部、前記ローラ部の傾きを調整する傾き調整部、前記ローラ部の進行方向の前後の位置を調整する前後位置調整部、前記ローラ部の進行方向の左右の位置を調整する左右位置調整部、の少なくとも何れかを備えることが好ましい。
【００２０】
これにより、高さや幅などが異なる種々の形状の畝に適用することができ、また、種々の作物や季節に応じて土送りを適切な形状に形成・調節することができる。
【００２１】
また、本発明の生育中の作物に用いる培土器においては、前記一対のローラ取付部の前記ローラ部の間隔が調整可能となっていることが好ましい。これにより、条間が異なる畝に適用することができる。
【００２２】
また、本発明の生育中の作物に用いる培土器においては、前記ローラ取付部には、前記培土板の高さを調整する高さ調整部、前記培土板の傾きを調整する傾き調整部、前記培土板の進行方向の前後の位置を調整する前後位置調整部、前記培土板の押圧を調整する押圧調整部、の少なくとも何れかを備えることが好ましい。これにより、前方に取り付けられたローラ部に合わせて、培土板を最適な位置に調整することが可能となり、また、培土板による土寄せの形状を調整することが可能となる。
【００２３】
上記目的を達成するため、本発明の生育中の作物に用いる農作業機による土寄せ方法は、本体と、前記本体に取り付けられ、畝に植えられた生育中の作物に向けて土寄せを行う培土器と、からなる農作業機による土寄せ方法であって、前記本体は、ロータリーを備え、前記培土器は、畝肩の上部の土を寄せる高さに配置されたローラ部を備え、ており、前記ロータリーの後方に前記培土器を配置するとともに、前記ロータリー側を先頭にして進行することを特徴とする。
【００２４】
この培土器により畝肩の上部のみの土を寄せることができるので、畝に生育中のネギの根元への土寄せが可能となる。また、ロータリー側を先頭にして進行する際に、このロータリーを使用しながら進行することで、ロータリーの回転による土寄せとともに、培土器による土寄せを行うことが可能となる。従って、倒伏防止のための緊急時の土寄せや白ネギ栽培における最終土寄せにおいては、白ネギに対する事前の土寄せが不十分な場合に、ロータリーによる土寄せ作業と、培土器による土寄せ作業を一度の作業で行うことができる。
【図面の簡単な説明】
【００２５】
【図１】本発明の第１実施形態の生育中の作物に用いる管理機の要部の構成を示す平面図である。
【図２】第１実施形態に係る管理機の正面図である。
【図３】第１実施形態に係る管理機の進行方向の左側を示す図である。
【図４】図４Ａは畝の断面に対するローラ部の位置を示す図であり、図４Ｂは強風による倒伏防止のための土寄せ状態を示す実験結果の畝の断面図である。
【図５】本発明の試作機による土寄せ試験を示す画像である。
【図６】第２実施形態に係る管理機の平面から撮影した図である。
【図７】第２実施形態に係る管理機の進行方向に対する正面から撮影した図である。
【図８】第２実施形態に係る管理機の進行方向の左側から撮影した図である。
【図９】第２実施形態に係る管理機の左側の培土板を示す平面から撮影した図である。
【図１０】Ａは第２実施形態に係る左側の培土板を背面から撮影した図であり、Ｂは左側の培土板を右側から撮影した図である。
【図１１】ＡからＢへの変化は培土板の作用効果を示す畝の撮像である。
【図１２】ＡとＢの比較は培土板の作用効果を示すネギの撮像である。
【発明を実施するための形態】
【００２６】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２７】
［第１実施形態］
本発明の第１実施形態の生育中の作物に用いる農作業機（以降、管理機１００と記す。）の構成を、図１〜図３を用いて説明する。本実施形態の管理機１００はＭ字の形状をした畝で生育中のネギに、強風による倒伏防止として土寄せをする機械である。本実施形態の管理機１００は、市販の管理機（あるいは小型耕うん機）である本体１に培土器２を搭載したものである。管理機１００は、バックで土寄せを行う。従って、土寄せを行うときの管理機１００の進行方向は、図１では下方向、図２では手前方向、図３では左方向となる。なお、ここでは「前」「後」「左」「右」を土寄せ時の培土器２の進行方向に対して用いる。従って、図１では下方向が「前」で、上方向が「後」で、右方向が「左」で、左方向が「右」となる。
【００２８】
培土器２は、土を寄せる一対のローラ部２０、３０と、畝肩の上部の土を寄せる高さにローラ部２０、３０を管理機１００の本体１の両側に取り付ける一対のローラ取付部４０、５０と、からなる。
【００２９】
より具体的には、培土器２は、左右一対のローラ部２０、３０と、左右一対のローラ取付部４０、５０と、ローラ取付部４０、５０を管理機１００の本体１に保持するシャーシ６１と、ローラ取付部４０、５０の前端を連結するコイルバネ６３と、ローラ取付部４０、５０の後端を本体１に保持する左右一対の同一形状のチェーン６４と、管理機１００の駆動輪である前輪１１に取り付けられたスパイク９１からなる。
【００３０】
左右のローラ部２０、３０は、実際に土寄せを行うものである。ローラ部２０、３０は、夫々回転可能に縦方向の回転軸で軸支されるローラで構成されている。このローラ部２０、３０を構成するローラとして、具体的には、円筒部が、直径１２ｃｍ高さ１０ｃｍの前ローラ２０Ｆ、３０Ｆと、直径９ｃｍ高さ１０ｃｍの中央ローラ２０Ｍ、３０Ｍと、直径１２ｃｍ高さ１５ｃｍの後ローラ２０Ｂ、３０Ｂからなる。
【００３１】
なお、前ローラ２０Ｆ、３０Ｆは（後述の）前ローラ調整部４５Ｆ、５５Ｆにより、中央ローラ２０Ｍ、３０Ｍは（後述の）中央ローラ調整部４５Ｍ、５５Ｍにより、後ローラ２０Ｂ、３０Ｂは（後述の）後ローラ調整部４５Ｂ、５５Ｂにより、ローラ取付部４０、５０を構成するフレーム４２、５２に取り付けられている。
【００３２】
左右のローラ取付部４０、５０は、ローラ部２０、３０を本体１の両側に取り付けるためのものである。具体的には、ローラ取付部４０、５０は、それぞれ、シャフト４１、５１と、パイプ状のフレーム４２、５２と、コイルバネ係合部４３、５３と、チェーン係合部４４、５４と、前ローラ調整部４５Ｆ、５５Ｆと、中ローラ調整部４５Ｍ、５５Ｍと、後ローラ調整部４５Ｂ、５５Ｂと、で構成されている。なお、ローラ取付部４０、５０の詳細は、後述する。
【００３３】
シャーシ６１は、ローラ取付部４０、５０を管理機１００の本体１に保持するためのものである。シャーシ６１は、図１〜図３に示すように、ローラ取付部４０、５０を保持するため、左右同一形状の取付パイプ６２を左右ずつ備えている。この左右の取付パイプ６２は、溶接されている。また左右に複数の取付パイプ６２を備えているので、異なる幅の条間に対応することができ、また、後述のコイルバネ６３の張力の調整もできる。なお、シャーシ６１は、必ずしも溶接で本体１に固着される必要はなく、着脱可能な固定方法で本体１に固定されてもよい。
【００３４】
シャーシ６１は、ローラ取付部４０、５０を管理機１００の本体１に保持するためのものである。シャーシ６１は、本体１のエンジンマウントにボルトで固定され、図１〜図３に示すように、ローラ取付部４０、５０を保持するため、左右同一形状の取付パイプ６２を左右２つずつ備えている。この左右の取付パイプ６２は、シャーシ６１に垂直に溶接されている。また左右に複数の取付パイプ６２を備えているので、異なる幅の条間に対応することができ、また、後述のコイルバネ６３の張力の調整もできる。
【００３５】
コイルバネ６３は、ローラ取付部４０、５０の前端を連結するためのものである。また、コイルバネ６３は、ローラ取付部４０、５０を構成するフレーム４２、５２の後端を広げる方向に付勢する。
チェーン６４は、ローラ取付部４０、５０の後端を本体１に保持するためのものであり、一対の同一形状のものからなる。
ここで、ローラ取付部４０、５０の詳細についてあらためて説明を行う。
【００３６】
左右のシャフト４１、５１は、本体１に対するローラ取付部４０、５０の高さを調整するためのものである。シャフト４１、５１には、高さ調整用の複数のピン孔４１ａ（シャフト４１側のみ図示）が、設けられている。所定のピン孔４１ａにスナップピンＰが挿入されることで、シャフト４１、５１は、スナップピンＰの位置の高さまでシャーシ６１の取付パイプ６２に嵌入される。これにより、シャフト４１、５１は、回動可能に軸支されるとともに、スナップピンＰが挿入されるピン孔４１ａ（シャフト４１側には図示していないピン孔）の位置によって、高さを調整できる。従って、本体１に対するローラ取付部４０、５０の高さを変えることができる。
【００３７】
左右のフレーム４２、５２は、後述する前ローラ調整部４５Ｆ、５５Ｆと、中ローラ調整部４５Ｍ、５５Ｍと、後ローラ調整部４５Ｂ、５５Ｂを嵌入により保持するものである。図１、図３に示すように、フレーム４２、５２は、垂直に軸支されるシャフト４１、５１の上端に、パイプ状の前部４２ａ、５２ａが溶接され、水平状態となっている。また、図１に示すように、フレーム４２、５２の後部４２ｂ、５２ｂは、途中２回の曲げ加工とともに、前部４２ａ、５２ａと平行に延在している。
【００３８】
左右のコイルバネ係合部４３、５３は、コイルバネ６３を係合するものである。コイルバネ係合部４３、５３は、左右のフレーム４２、５２の前端にそれぞれ設けられている。
【００３９】
右のコイルバネ係合部５３は、コイルバネ６３の右端をボルトＢ１で固着する。左のコイルバネ係合部４３は、一端に係合孔４３１、他端にハンドル４３２が設けられた雄ネジ４３３を備えている。そして、コイルバネ係合部４３は、コイルバネ６３の左端を係合孔４３１に係合し、ハンドル４３２を回転することで、係合孔４３１を左右に移動できる構成となっている。従って、コイルバネ係合部４３は、コイルバネ６３の張力を調整することができるようになっている。なお、ハンドル４３２が回転されても係合孔４３１は回転しないように、係合孔４３１は、雄ネジ４３３に対して回転自在に軸支されている。
【００４０】
左右のチェーン係合部４４、５４は、チェーン６４の一端を保持するものである。チェーン６４の他端は、本体１の側面のロータリーカバー取り付けボルトで固定されている。このチェーン係合部４４は、図３に示すように、チェーンパイプ４４１と、チェーンパイプ４４１の軸の中心に向かって螺入するボルトＢ２と、Ｓ字形状のフックＳからなる。チェーンパイプ４４１は、フレーム４２の後端側に挿入され、ボルトＢ２によって圧着される。なお、チェーン係合部５４も、同一形状となっている。
【００４１】
フレーム４２、５２は、前端に連結されたコイルバネ６３によって、その後端が広がる方向に付勢されることになる。一方、コイルバネ６３の付勢力に抗して、フレーム４２、５２の後端を本体１側に寄せ、チェーン６４をチェーン係合部４４、５４のフックＳに係合しておくことで、フレーム４２、５２の後端位置が保持されることになる。また、フックＳと係合するチェーン６４の鎖の孔を変えることにより、フレーム４２、５２の広がりを調整することができる。
【００４２】
スパイク９１は、管理機１００の滑り止めであり、管理機１００の駆動輪である前輪１１にボルトＢ３で螺着される。なお、本発明者は、砂地の畑においてスパイク９１装着の有り無しの管理機１００を用い、実際に土寄せ作業を行った。その結果、スパイク９１を装着する管理機１００の場合、砂に前輪１１がくい込むことで駆動力が増し、作業速度が非常に速くなった。従って、砂地の畑での作業においては、管理機１００の駆動輪が本実施形態のようなスパイク状のものが適している。また、作業時以外での管理機１００の移動を考慮すると、スパイク状の駆動輪は、本実施形態のように取り外し可能なスパイク１００を駆動輪に取り付けて構成することが好ましい。
前ローラ調整部４５Ｆ、５５Ｆは、前ローラ２０Ｆ、３０Ｆをフレーム４２、５２に取り付けるためのものである。
【００４３】
ここで、前ローラ調整部４５Ｆは、前ローラパイプ４５Ｆ１と、前ローラパイプ４５Ｆ１の軸の中心に向かって螺入する前ボルトＢＦからなる。前ローラパイプ４５Ｆ１には前ローラ２０Ｆを軸支する軸２１Ｆが溶接され、フレーム４２の後部４２ｂから嵌入される。
【００４４】
これにより、前ローラ調整部４５Ｆは、前ローラ２０Ｆを前後に移動することができる。また、前ローラ調整部４５Ｆは、前方から見て前ローラ２０Ｆの傾斜角度を自由に変えることができる。そして、前ボルトＢＦによって前ローラ２０Ｆを所望される前後位置と傾斜に保持する。
なお、前ローラ調整部５５Ｆも同様の構成となっており説明を省略する。
【００４５】
このように、前ローラ調整部４５Ｆ、５５Ｆは、前ローラ２０Ｆ、３０Ｆの、進行方向の前後の位置を調整する前後位置調整部と、傾きを調整する傾き調整部と、を備えた構成となっている。
中央ローラ調整部４５Ｍ、５５Ｍは、中央ローラ２０Ｍ、３０Ｍをフレーム４２、５２に取り付けるためのものである。
【００４６】
ここで、中央ローラ調整部４５Ｍも前ローラ調整部４５Ｆと同様に、中央ローラパイプ４５Ｍ１と、中央ローラパイプ４５Ｍ１の軸の中心に向かって螺入する中央ボルトＢＭからなる。
中央ローラパイプ４５Ｍ１には中央ローラ２０Ｍを軸支する軸２１Ｍが溶接され、フレーム４２の後部４２ｂの前ローラ調整部４５Ｆの後方に嵌入される。
【００４７】
これにより、中央ローラ調整部４５Ｍは、中央ローラ２０Ｍを前後に移動することができる。また、中央ローラ調整部４５Ｍは、前方から見て中央ローラ２０Ｍの傾斜角度を自由に変えることができる。そして、中央ボルトＢＭによって中央ローラ２０Ｍを所望される前後位置と傾斜に保持する。
なお、中央ローラ調整部５５Ｍも同様の構成となっており説明を省略する。
【００４８】
このように、中央ローラ調整部４５Ｍ、５５Ｍは、中央ローラ２０Ｍ、３０Ｍの、進行方向の前後の位置を調整する前後位置調整部と、傾きを調整する傾き調整部と、を備えた構成となっている。
後ローラ調整部４５Ｂ、５５Ｂは、後ローラ２０Ｂ、３０Ｂをフレーム４２、５２に取り付けるためのものである。
【００４９】
後ローラ調整部４５Ｂは、第１パイプ４５Ｂ１と、第１パイプ４５Ｂ１の軸の中心に向かって螺入する第１ボルトＢＢ１と、第２パイプ４５Ｂ２と、第２パイプ４５Ｂ２の軸の中心に向かって螺入する第２ボルトＢＢ２と、第１シャフトＳＨ１と第２シャフトＳＨ２を溶接によりＬ字の形状に接合してなるＬ字シャフト４５Ｂ３と、第３パイプ４５Ｂ４と、第３パイプ４５Ｂ４の軸の中心に向かって螺入する第３ボルトＢＢ３からなる。
【００５０】
第１パイプ４５Ｂ１は、フレーム４２に嵌入された中央ローラ調整部４５Ｍの後方に嵌入されており、前後に移動可能となっている。また、第１パイプ４５Ｂ１は、回転自由となっている。従って、第１パイプ４５Ｂ１は、第１ボルトＢＢ１によって、前後位置と回転角度を調整可能となっている。
【００５１】
第２パイプ４５Ｂ２は、第１パイプ４５Ｂ１に直角に溶接されている。そして、Ｌ字シャフト４５Ｂ３の第１シャフトＳＨ１が、第２パイプ４５Ｂ２に嵌入される。従って、Ｌ字シャフト４５Ｂ３は、第２ボルトＢＢ２によって、第２シャフトＳＨ２側の高さと軸の向きを調整可能となっている。
【００５２】
第３パイプ４５Ｂ４には後ローラ２０Ｂを軸支する軸２１Ｂが溶接されている。また、第３パイプ４５Ｂ４は、第２シャフトＳＨ２に嵌入される。従って、第３パイプ４５Ｂ４は、第３ボルトＢＢ３によって、第２シャフトＳＨ２の軸方向の位置と回転角度を調整可能となっている。
【００５３】
このような後ローラ調整部４５Ｂの構成により、後ローラ２０Ｂは、第１ボルトＢＢ１によって、前後位置と、前から見た傾斜と、を調整することができる。また、後ローラ２０Ｂは、第２ボルトＢＢ２によって、高さと、平面視での第１シャフトＳＨ１の軸を中心とする円弧状の位置と、を調整することができる。また、後ローラ２０Ｂは、第３ボルトＢＢ３によって、第２シャフトＳＨ２の軸方向の位置と、その回転角度と、を調整することができる。
なお、後ローラ調整部５５Ｂも同様の構成となっており説明を省略する。
【００５４】
このように、後ローラ調整部４５Ｂ、５５Ｂは、後ローラ２０Ｂ、３０Ｂの、進行方向の前後の位置を調整する前後位置調整部と、傾きを調整する傾き調整部と、高さを調整する高さ調整部と、進行方向の左右の位置を調整する左右位置調整部と、を備えた構成となっている。
【００５５】
上述の構成により、左右のローラ部２０、３０（片側３つのローラの集合体）は、スナップピンＰによって高さを調整することができる。また、ローラ部２０、３０は、フックＳと係合するチェーン６４の孔の選択によって離間距離を調整することができる。
また、前ローラ２０Ｆ、３０Ｆは、前ローラ調整部４５Ｆ、５５Ｆの前ボルトＢＦによって、単独で前後の位置と傾斜を調整することができる。
中央ローラ２０Ｍ、３０Ｍは、中央ローラ調整部４５Ｍ、５５Ｍの中央ボルトＢＭによって前後の位置と傾斜を調整することができる。
【００５６】
後ローラ２０Ｂ、３０Ｂは、後ローラ調整部４５Ｂ、５５Ｂの第１ボルトＢＢ１、第２ボルトＢＢ２、第３ボルトＢＢ３によって、単独で前後の位置、左右の位置、高さ、傾斜の調整ができる。
【００５７】
なお、上述の実施形態では、培土器２は、後ローラ２０Ｂ、３０Ｂのみ単独で左右の位置、高さを調整できるようにしたが、前ローラ２０Ｆ、２０Ｆと中央ローラ２０Ｍ、２３０Ｍも単独で左右の位置、高さを調整できるようにしてもよい。
【００５８】
次に、図４、図５を用いて、ローラ部２０、３０の位置と傾斜の調整について説明する。本発明の動機は生育中の白ネギの倒伏防止策であり、これについて説明する。但し、本発明の適用は倒伏防止に限定するものでもなく、ネギに限定するものでもない。図４Ａは白ネギの強風による倒伏防止の土寄せ時の畝の断面に対するローラ部の位置を示す図である。図中、破線は土寄せ前を示し、実線は土寄せ後を示す。図４Ｂは実験結果の図である。なお、図５は本発明の試作機による土寄せ試験を示す参考画像である。
【００５９】
白ネギは遮光のために４，５回程株元に土寄せが行われる。白ネギの葉鞘部を遮光すれば白くて長くしまった葉鞘部となり、これを軟白という。この土寄せは白ネギの栽培では品質と収穫量に掛かる重要な管理である。このように、白ネギでは何度も土寄せが行われるために、土寄せをし易いように畝の形状は、株元近傍に土が盛られたＭ字形が理想とされている。
【００６０】
畝を形成する一般的な管理機は、耕された土を盛り上げるものであり、管理機の車輪の略底部から土を上げて畝を形成する。白ネギの土寄せの量は少なすぎると軟白が減少し、多すぎると根の呼吸作用が阻害されたり、土圧が高くなりすぎたり、軟白が長くなりすぎて細くなったりする。
【００６１】
しかしながら、台風などの強風では、倒伏防止のために短期間に株元周辺に土寄せをする必要がある。この倒伏防止の土寄せは、難しい作業であり、具体的には、図４に示すように、土寄せ前の上部の土を白ネギの株元近くに寄せ、株元から１０ｃｍ程度離れた位置に、盛土の壁を作るように行わなければならない。このような土寄せを行うことで、強風による影響を抑えることができる。一方、単に白ネギの株元に土を寄せ、直接土で覆ってしまうと、腐れなどの病が生じるおそれがある。従って、倒伏防止の土寄せは難しい繊細な作業であることから、手作業ではなかなか間に合わなかった。とくに大規模農家では、作業が間に合わず、被害リスクが高い。また、従来の管理機は畝の法面全部の土を上げるものであり、また、寄せる土の量を適切な値に調節できるものではなかったので、Ｍ字の畝の上部の土のみを株元へ寄せることはできなかった。
【００６２】
そこで、本実施形態の管理機１００は、全てのローラ２０Ｆ、３０Ｆ、２０Ｍ、３０Ｍ、２０Ｂ、３０Ｂを管理機１００の前輪１１、後輪１２の接地面よりもＨ（例えば、１５ｃｍ〜２０ｃｍ）だけ高い位置に調整できるようになっている。これにより、図４Ａに示すように、全てのローラがＭ字の畝の上部の土のみ白ネギの株元へ寄せることができる。このように、管理機１００は、畝肩の下方の土は上げないので小さな動力で素早く土寄せができる。また、回転するローラを使用するので、土の抵抗が少なく、より小さな動力となる。
【００６３】
また、管理機１００は、土を寄せるのに前ローラ２０Ｆ、３０Ｆ、中央ローラ２０Ｍ、３０Ｍ、後ローラ２０Ｂ、３０Ｂが順次土を寄せる方向に向けてずれる多段階のローラになっている。したがって、１つの大きなローラのみと比較して、多段階の小さな複数のローラで土を寄せるので、広範囲の土を寄せることができ、また、逆方向に移動する土が少なくなるので、土の落下を減少させることができる。
【００６４】
また、最初に土を寄せる前ローラ２０Ｆ、３０Ｆは、法面の傾斜角（θ）よりも大きい傾斜角（θ１）となっている（θ１＞θ）。本実施形態の土寄せは法面の上方を土寄せするので、土が下方にこぼれ落ち易い。このために、θ１＞θとして、土を白ネギ側に押すようにして、土の落下を低減している。
【００６５】
また、中央ローラ２０Ｍ、３０Ｍの傾斜角（θ２）は前ローラ２０Ｆ、３０Ｆの傾斜角（θ１）よりも小さくなっており、後ローラ２０Ｂ、３０Ｂの傾斜角（θ３）は中央ローラ２０Ｍ、３０Ｍの傾斜角（θ２）よりも小さくなっている。傾斜角が大きいと土がこぼれ落ちにくくなるが、その反面寄せる土の量が少なくなる。そのために、白ネギに近づくにしたがって傾斜角を小さくし、寄せる土の量を増加させている。
【００６６】
また、白ネギの条間は一般的に１ｍである。管理機１００は、例えば１ｍ以外の畝にも適用できるように、左右のフレーム４２、５２を軸支させ、フレーム４２、５２の前端をコイルバネ６３で連結し、フレーム４２、５２の後端のフックＳを掛けるチェーン６４の孔の位置を変更することで、ローラ部２０、３０の間隔を調整できるようになっている。
【００６７】
また、管理機１００は、コイルバネ６３によって、左右のローラ部２０、３０に閾値以上の力が掛かったときは本体側に移動する構成となっている。例えば、条間の一部が急に狭くなっているような場所でも、条間の歪に対応して土寄せを行うことができる。この閾値はコイルバネ６３用のハンドル４３２で調整することができる。
【００６８】
また、管理機１００は、スナップピンＰの挿入位置変更によって片側の３つのローラの高さを一度に変更することができるので、高さの異なる畝に対しても簡単に対応することができる。
【００６９】
また、前ローラ２０Ｆ、３０Ｆと中央ローラ２０Ｍ、３０Ｍは、前後位置と傾斜の調整ができ、最終の土寄せローラとなる後ローラ２０Ｂ、３０Ｂは、前後位置と傾斜のみならず高さと左右方向の位置の調整ができる。従って、培土器２は、細かい土寄せ量の調整が可能となる。
【００７０】
また、培土器２の左右ローラ取付部４０、５０は、シャフト４１、５１とフックＳの着脱により容易に本体から着脱することができる。また、培土器２は、前ボルトＢＦ、中央ボルトＢＭ、第１ボルトによって、全てのローラをフレーム４２、５２から容易に着脱することができる。
なお、ローラ２０Ｆ、３０Ｆ、２０Ｍ等の高さや前後位置や左右位置や傾斜角の調整方法は上述の実施形態の方法に限定するものではない。
【００７１】
このような、本実施形態の培土器１による土寄せ作業は、従来の手作業では１０アールに８時間程度の時間がかかっていたが、旋回時間を含め１０アール１時間程度で完了することができた。
【００７２】
本実施形態の管理機１００は、畝肩の上方の土のみを寄せることができ、また、ローラ部２０、３０の高さや前後位置等の調整ができるので、白ネギの倒伏防止のみならず、白ネギの軟白のための土寄せ（「止め」と呼ばれたりする緑化防止の最終土寄せ）にも適用することができる。また、白ネギのみならず、イモの緑化防止（有毒なソラニン防止）や他の作物の倒伏防止のための土寄せにも適用することができる。
【００７３】
［第２実施形態］
ここで、上記した「止め」と呼ばれるような緑化防止の最終土寄せは、土を寄せるとともに、白ネギの首元に土をしっかり締め付けておく必要がある。このため非常に繊細な作業であることから、従来ほぼ手作業で行われていたため、白ネギ農家にとっては、収穫作業や搬送作業と共に、この作業は苦痛な作業の一つであった。
【００７４】
従って、本発明者は、管理機１００を実際に使用して最終土寄せを行ってみたところ、土を寄せる作業としては十分であったが、最終土寄せの作業の中でもう一つ重要となる、首元に土をしっかり締め付ける作業が十分ではなかった。具体的には、後述する図１１（Ａ）に示すように、寄せた土に縦方向のひび割れができてしまった。このようなひび割れがあると、そこから雨水が入り、寄せた土が崩れたりすることがある。
【００７５】
そこで、本発明者は、最終土寄せにおいても十分に使用できる管理機についても検討を行った。次に、最終土寄せにも十分使用できる第２実施形態の管理機１００Ａについて図面を用いて詳細に説明する。なお、第１実施形態と構成が同一の部分については同一の参照符号を付与してその詳細な説明は省略し、構成が異なる同一名の部分については参照符号に添え字「Ａ」を付す。
【００７６】
図６、図７、図８は、それぞれ管理機１００Ａの進行方向に対する平面、正面、左側の撮像である。第１実施形態の管理機１００は、本体１に培土器２を搭載したものであったが、第２実施形態の管理機１００Ａは、本体１に培土器２Ａを搭載したものである。そして、第１実施形態の培土器２が、左右のローラ部２０、３０で構成されていたが、第２実施形態の培土器２Ａは、左右のローラ部２０Ａ、３０Ａの後方にそれぞれ、左右の培土板７０、８０を配置して構成されている。この培土板７０、８０は、ローラ部２０Ａ、３０Ａによって白ネギの周りに寄せた土を、更に白ネギの首元に土を寄せるとともに、その土を押し固めるためのものである。
【００７７】
この培土板７０、８０は、ポリ塩化ビニル製の板状であり、図示のように後端側が内側（本体１側）に湾曲している。この湾曲により、滑らかな仕上げ面を生成する。また、作業者が培土板７０、８０の後端側に接触しても怪我等し難い。また、培土板７０、８０は、培土板調整部７１、８１により、ローラ取付部４０Ａ、５０Ａを構成するフレーム４２Ａ、５２Ａに取り付けられている。このローラ取付部４０Ａ、５０Ａは、ローラ部２０Ａ、２０Ｂとともに、培土板７０、８０を本体１の両側に取り付けるためのものである。
【００７８】
具体的には、左側のローラ取付部４０Ａは、シャフト４１Ａと、角型の上フレーム４２Ａ１と、後ローラ調整部４５ＢＡとチェーン係合部４４Ａを兼ねる逆Ｔ字形の下フレーム４２Ａ２と、前ローラ調整部４５ＦＡと、中ローラ調整部４５ＭＡと、培土板調整部７１と、で構成されている。
【００７９】
なお、シャフト４１Ａ、上フレーム４２Ａ１、チェーン係合部４４Ａ、前ローラ調整部４５ＦＡ、中ローラ調整部４５ＭＡ、後ローラ調整部４５ＢＡは、実施形態１のものと同様の目的と効果を奏するものである。また、本実施形態では、フレーム４２Ａ、５２Ａが、それぞれ、上フレーム４２Ａ１と下フレーム４２Ａ２で構成されているが、実施形態１のようにそれぞれ一つのフレームで構成しても構わない。
【００８０】
そして、下フレーム４２Ａ２は、培土板調整部７１を嵌入により保持するものである。また、培土板調整部７１は、培土板７０を下フレーム４２Ａ２に取り付けるためのものである。
【００８１】
この培土板調整部７１は、培土板７０の、進行方向の前後の位置を調整する前後位置調整部と、傾きを調整する傾き調整部と、高さを調整する高さ調整部と、土への押圧を調整する押圧調整部と、を備えた構成となっている。
【００８２】
具体的には、前後位置調整部として、角型の第１パイプ７２が下フレーム４２Ａ２に摺動可能に嵌められており、第１ボルトＢＰ１によって第１パイプ７２の前後の位置が調整可能になっている（図９参照）。
【００８３】
また、傾き調整部として、第１パイプ７２には外側に延在するアーム７２１が溶接され、このアーム７２１には上下に延在する角型の第２パイプ７３が第２ボルトＢＰ２によって軸支されている。そして、第２ボルトＢＰ２を中心に回動可能な第１リンク７３１と、第３ボルトＢＰ３を中心に回動可能な第２リンク７４と、第１リンク７３１と第２リンク７４の角度を調整する第４ボルトＢＰ４が設けられている（図１０Ａ参照）。これにより、第１シャフト７５の角度が第４ボルトＢＰ４によっても調整可能になっている。
【００８４】
このような構成は、単に第２ボルトＢＰによって第２パイプの角度が調整可能となっている構成に比べて、傾きの保持力が強くなっている。また、このような構成により、次に説明する第１シャフト７５を上下調整するために第２ボルトＢＰ２を緩めた場合でも、第１シャフト７５の傾斜を維持しておくことができる。
【００８５】
また、高さ調整部として、第２パイプ７３には第１シャフト７５が摺動可能に嵌められており、第２ボルトＢＰ２によって第１シャフト７５の上下の位置が調整可能になっている。
【００８６】
また、押圧調整部として、第１シャフト７５に、培土板７０が取り付けられている。この時、培土板７０は、後方側が外側に向かって付勢されている。具体的には、第１シャフト７５に対して回動可能に軸支された取付具７６が配設されており、この取付具７６に培土板７０が複数の螺子Ｎにより固定されている。この時、複数の引っ張りコイルバネ７８が第１シャフト７５と取付具７６に掛けられており、この引っ張りコイルバネ７８により、培土板７０の前方側が内側（本体１側）に引っ張られ、後方側が外側に向かって付勢される。この時、この付勢力に抗して、チェーン７９が第１シャフト７５と培土板７０の後端側に掛けられる。そして、このチェーン７９の長さを変えることにより、培土板７０の後端側の出代や培土板７０が土を押す押圧を調整することができるようになっている。
【００８７】
このように、培土板７０は、培土板調整部７１により、任意の前後位置や傾き、高さ、押圧力を調整することができる。とくに本発明者が検証したところ、畑の条件や状態にもよるが、培土板７０の角度は、ローラ部２０Ａの後ローラ２０ＢＡの傾斜角よりも大きくしておくことで、最終土寄せとして最適な土寄せができることがわかった。また、培土板７０の高さは、培土板７０の底辺をローラ部２０Ａのローラの底辺と略同じような位置にしておくことで、最終土寄せとして最適な土寄せができることがわかった。
なお、右側の培土板８０を取り付ける右側の培土板調整部８１、右側のローラ取付部５０Ａも同様の構成となっているので説明を省略する。
【００８８】
また、実施形態１の管理機１００では、左右一対の取付パイプ６２に挿入される左右一対のシャフト４１、５１の高さ調整（すなわち左のローラ取付部４０と右のローラ取り付け部５０の高さ調整）は、スナップピンＰが差し込まれるピン孔４１ａの位置を変えることで行っていた。一方、本実施形態の管理機１００Ａでは、スナップピンＰの差し込みだけでなく、この高さ調整を容易に行うために、ローラ取付部４０Ａ、５０Ａとの高さを一体で調整できるようになっている。
【００８９】
具体的には、管理機１００Ａは、取付パイプ６２Ａとシャフト４１Ａ、５１Ａを中継する可動シャーシ６５と、可動シャーシを上下させるハンドル６６を設けている。
【００９０】
この可動シャーシ６５は、左右一対のシャフト６５１と、シャフト４１Ａ、５１Ａが挿入される左右一対の取付パイプ６５２を備えている。そして、可動シャーシ６５の一対のシャフト６５１が、シャーシ６１Ａの一対の取付パイプ６２Ａに挿入されることで、可動シャーシ６５が、取付パイプ６２Ａとシャフト４１Ａ、５１Ａを中継する。
【００９１】
ハンドル６６は、把手６６１とシャフト６６２からなる。このシャフト６６２は、シャーシ６１Ａに回転自在に軸支されており、また雄ネジ６６３が形成されている。そして、シャフト６６２は、可動シャーシ６５の中央に形成された雌ネジ６５３と係合している。従って、ハンドル６６が回転されると可動シャーシ６５が上下に移動する。
【００９２】
このような構成により、第２実施形態の管理機１００Ａは、ハンドル６６を回すことで、左右のローラ取付部４０Ａ、５０Ａを一体として上下位置を容易に調整することができる。そして、このような構成は、白ネギ作業の現場においては、作業性がよく非常に便利である。
【００９３】
また、実施形態１の管理機１００では、ローラ部２０、３０の上方に何も配置していないが、管理機１００を使用したところ、傾斜している白ネギの一部がローラの間に引き込まれてしまい、白ネギが倒れてしまうようなことが生じていた。従って、本実施形態の管理機１００Ａには、白ネギの引っ掛かりによる倒れを防止するため、ガードバー９２をローラ取付部４０Ａ、５０Ａに沿って、ローラ部２０Ａ、３０Ａ及び培土板７０、８０の上方に設けている。
【００９４】
また、実施形態１の管理機１００では、ローラ部２０、３０のローラは何も表面の加工を行っていなかったが、ローラの材質によってはローラ表面に土が付いてしまうことがある。とくに砂地の畑ではあまり生じないが、土の畑ではローラ表面への土の付着が生じてしまうことがある。そこで、本実施形態の管理機１００Ａでは、ローラ部２０Ａ、３０Ａのローラ表面に土が付き難くなるようにした。具体的には、ローラ表面を発泡ニトリルゴムの被覆材Ｃで覆うことにより、非常に土が付き難くなった。なお、ローラ表面を被覆材Ｃで覆う以外に、ローラ表面への表面処理によって土を付き難くしても構わない。
【００９５】
以上のように、管理機１００Ａは、培土器２Ａにおいてローラ部２０Ａ、３０Ａの後方に培土板７０、８０を備えた構成となっている。従って、管理機１００Ａは、培土器２Ａにより、まず実施形態１の培土器２と同様にローラ部２０Ａ、３０Ａによって白ネギの周りに土を寄せ、そして更に培土板７０、８０によって、白ネギの首元に土を寄せるとともに、その土を押し固めることができる。このため、白ネギ栽培における最終土寄せを行うことが可能となる。
【００９６】
この点について、本発明者が実際に管理機１００Ａを用いて最終土寄せを行った結果について説明する。図１１Ａは培土板７０、８０を備えていない第１実施形態の管理機１００による最終土寄せの写真であり、図１１Ｂは培土板７０、８０を備えている本実施形態の管理機１００Ａによる写真である。
【００９７】
図１１からも明らかなように、図１１Ａでは、土への押圧が弱く、縦方向にひび割れができてしまった。従って、このひび割れから雨が入り込むことにより、寄せた土が崩れたりするおそれがある。一方、図１１Ｂでは、ローラ部２０Ａ、３０Ａで寄せた土を培土板７０、８０で更に首元に寄せるとともに、その土を押し固めることができるため、ひび割れがほとんど見られない。
【００９８】
また、図１２Ａは、従来のように手作業で最終土寄せを行った白ネギであり、図１２Ｂは管理機１００Ａを用いて最終土寄せを行った白ネギである。培土板７０、８０のある管理機１００Ａによる白ネギは、手作業による従来の白ネジと同等の軟白の長さとなっていた。具体的には、図１２Ａに示すように軟白長２５ｃｍ以上の割合が、手作業と同様に１００％（標本数６４）であった。なお、実施形態１の管理機１００を用いて最終土寄せを行った場合、軟白長２５ｃｍ以上の割合が、４５％程度であった。
また、実際の作業時間を計測したところ、管理機１００Ａよる最終土寄せ作業は、手作業の約８倍の作業効率となっていた。
【００９９】
なお、本実施形態においては、培土板７０、８０は、ローラ取付部４０Ａ、５０Ａにローラ部２０Ａ、３０Ａとともに取り付けられているが、ローラ部２０Ａ、３０Ａとは別々に培土板取付部を備えて本体１に取り付ける構成でも構わない。このような構成であれば、培土板７０、８０がとくには不要となる緊急時の土寄せの際に、培土板７０、８０を簡単に本体１から取り外して作業を行うことができる。
【０１００】
また、実施形態１、実施形態２においては、農作業機として管理機を用いて説明したが、本発明は、管理機１００以外にも適用できる。特に、株元への培土作業は管理機のロータリー１４（実施形態１の図３を参照）を使用する必要はないので、土寄せ専用の農作業機で本発明を実現することができる。
【０１０１】
また、実施形態１、実施形態２の本体１のハンドル１３は、進行方向の前側に位置していることから、作業者は後ろに歩きながら土寄せを行う構成となっている。しかしながら、本体１は、ハンドル１３を回動させ進行方向の後ろ側にハンドル１３を位置し、作業者が前に向かって歩きながら作業を行う構成を採用することもできる。
【０１０２】
また、実施形態１、実施形態２では、進行方向に対して作業者が後ろ向きに歩きながら土寄せを行う構成について説明を行った。その際に、管理機１００、１００Ａのロータリー１４は使用されていない。この時、作業者が後ろ向きに歩きながら作業を行うことから、作業者が転倒するおそれがある。とくに高齢者による作業ではこの危険性が高い。
【０１０３】
そこで、管理機１００、１００Ａのロータリー１４側を先頭側とし、培土器２、２Ａの前ローラ（２０Ｆ、２０ＦＡ、３０Ｆ、３０ＦＡ）と後ローラ（２０Ｂ、２０ＢＡ、３０Ｂ、３０ＢＡ）の位置が逆になるように配置（前ローラがロータリー１４側に位置）し、ロータリー１４側から進行（進行方向が実施形態１、２とは反対）することで、作業者が前向きに歩きながら作業を行うこともできる。
【０１０４】
そして、この時、実施形態１、２では使用していなかったロータリー１４を使用することで、ロータリー１４による土寄せと培土器２、２Ａによる土寄せが可能となる。また、実施形態２では、更に培土板７０、８０よる白ネギの首元に土を寄せるとともに、その土を押し固めることも可能となる。
【０１０５】
とくに、実施形態１や実施形態２で説明した倒伏防止のための緊急時の土寄せや白ネギ栽培における最終土寄せにおいては、白ネギに対する事前の土寄せが不十分な場合（例えば、白ネギの成長が進んでいるような場合）には、まず通常の土寄せ作業のようにロータリー１４による土寄せを行う必要がある。つまり、ロータリー１４による土寄せ作業と、培土器２、２Ａによる土寄せ作業という二度の作業が必要になる。
【０１０６】
しかしながら、上記のようにロータリー１４を備える管理機１００、１００Ａを用い、ロータリー１４の後方に培土器２、２Ａを配置するとともに、ロータリー１４側を先頭にしてロータリー１４を使用しながら進行することで、作業者が前向きに歩きながら作業できるだけでなく、ロータリー１４の回転による土寄せとともに、培土器２、２Ａによる土寄せを行うことが可能となる。従って、倒伏防止のための緊急時の土寄せや白ネギ栽培における最終土寄せにおいては、白ネギに対する事前の土寄せが不十分な場合に、ロータリー１４だけによる通常の土寄せ作業を兼ねて作業を行うことができる。つまり、ロータリー１４の後方に培土器２、２Ａを配置するとともに、ロータリー１４側を先頭にしてロータリー１４を使用しながら進行する土寄せ方法は、ロータリー１４による土寄せ作業と、培土器２、２Ａによる土寄せ作業を一度の作業で行うことができる。
また、本発明の培土器は、管理機以外の農作業機に取り付けて使用することもできる。
【符号の説明】
【０１０７】
１００、１００Ａ：管理機
１：本体
１４：ロータリー
２、２Ａ：培土器
２０、２０Ａ：（左の）ローラ部
３０、３０Ａ：（右の）ローラ部
２０Ｆ、２０ＦＡ、３０Ｆ、３０ＦＡ：前ローラ
２０Ｍ、２０ＭＡ、３０Ｍ、３０ＭＡ：中央ローラ
２０Ｂ、２０ＢＡ、３０Ｂ、３０ＢＡ：後ローラ
４０、４０Ａ：（左の）ローラ取付部
５０、４０Ａ：（右の）ローラ取付部
４５Ｆ、５５Ｆ：前ローラ調整部
４５Ｍ、５５Ｍ：中央ローラ調整部
４５Ｂ、５５Ｂ：後ローラ調整部
５５Ｆ：前ローラ調整部
６６：ハンドル
７０、８０：培土板
７１、８１：培土板調整部
【図１】
2019088277.tif 000003
【図２】
2019088277.tif 000004
【図３】
2019088277.tif 000005
【図４】
2019088277.tif 000006
【図５】
2019088277.tif 000007
【図６】
2019088277.tif 000008
【図７】
2019088277.tif 000009
【図８】
2019088277.tif 000010
【図９】
2019088277.tif 000011
【図１０】
2019088277.tif 000012
【図１１】
2019088277.tif 000013
【図１２】
2019088277.tif 000014